(57)【要約】      （修正有）【課題】ユーザーに便利な位置で、レール間の係合および解除操作ができる係合解除機構を有するスライドレールアセンブリを提供する。【解決手段】スライドレールアセンブリ２０は第１のレール２８と、第２のレール３０と、第１の構造と、第２の構造と、係合解除部材とを含む。係合解除部材は、第２のレール３０の、ユーザーが便利に操作できる位置に設けられる。第２のレール３０が第１のレール２８に対して伸長位置に動かされた場合、第１の構造及び第２の構造は、第２のレール３０を伸長位置で保持するために互いに係合するように構成されている。係合解除部材は第１の構造を第２の構造から外すように構成されている。【選択図】図２
2020058775.tif 000002
【特許請求の範囲】
【請求項１】
第１のレールと、
前記第１のレールに対して可動な第２のレールと、
前記第１のレールの端部に隣接して設けられる第１の構造と、
前記第２のレールに設けられる第２の構造と、
を含むスライドレールアセンブリであって、
前記第２のレールが前記第１のレールに対して引っ込め位置から伸長位置に第１の方向に沿って動かされた場合、前記第１の構造及び前記第２の構造は、前記第２のレールが前記伸長位置から前記第１の方向又は第２の方向に沿って移動するのを防止するために互いに係合するように構成され、
前記第２の方向は前記第１の方向の反対方向である、スライドレールアセンブリ。
【請求項２】
前記第２のレールに設けられる係合解除部材をさらに含み、該係合解除部材は前記第１の構造を前記第２の構造から外すように構成され、
前記第２のレールが前記伸長位置に位置する場合、前記係合解除部材の一部は前記第１のレールの端部を越えて延びる、請求項１に記載のスライドレールアセンブリ。
【請求項３】
前記係合解除部材は前記第２のレールに可動に取り付けられ、前記係合解除部材及び前記第２のレールは、第１のガイド部及び第２のガイド部の相互作用を通じて限られた範囲内でお互いに対して相対移動でき、
前記第１のガイド部及び前記第２のガイド部はそれぞれ突起及び細長い孔であり、該突起は該細長い孔の一部を貫通する、請求項２に記載のスライドレールアセンブリ。
【請求項４】
前記第２のレールに対して可動な第３のレールをさらに含み、
前記第３のレール及び前記第１の構造のうちの一方には係合解除部が設けられ、
前記第３のレールが完全伸長位置から前記第２の方向に沿って所定の引っ込め距離動かされた場合、前記第３のレールは前記係合解除部を通じて前記第１の構造を前記第２の構造から外すように構成されている、請求項１に記載のスライドレールアセンブリ。
【請求項５】
前記第１のレールにはブラケットが設けられ、前記第１の構造は該ブラケットに設けられ、
前記スライドレールアセンブリは前記ブラケットに設けられる解除部材をさらに含み、該解除部材は前記第１の構造を前記第２の構造から外すために操作されるよう構成され、
前記解除部材は操作部を有し、該操作部は前記ブラケットの少なくとも１つの取り付け部材に隣接する、請求項１に記載のスライドレールアセンブリ。
【請求項６】
前記第２のレールに対して可動な第３のレールをさらに含み、
前記第１のレールには係合解除部が設けられ、前記第２のレールには同期部材が可動に取り付けられ、前記第３のレールは同期部を含み、
前記同期部は、前記第２のレール及び前記第３のレールが前記第１のレールに対して同期的に前記第１の方向に沿って動くことができるように所定の状態にある前記同期部材と当接するように構成され、
前記第２のレール及び前記第３のレールが前記伸長位置に動かされた場合、前記係合解除部は、前記第２のレールが前記第３のレールと同期的に移動しなくなるように前記同期部材を前記所定の状態でなくなるよう動かすように構成され、
前記同期部材は前記第２のレールに枢結され、前記スライドレールアセンブリは、前記同期部材を前記所定の状態で保持するために前記同期部材に弾性力を提供するように構成された弾性部をさらに含む、請求項１に記載のスライドレールアセンブリ。
【請求項７】
前部及び後部を有する第１のレールと、
前記第１のレールに対して可動な第２のレールと、
前記第１のレールの前部に隣接して設けられる第１のブラケットであって、該第１のブラケットは前記第１のレールをラックの第１のポストに取り付けるように構成された少なくとも１つの取り付け部材を含む、第１のブラケットと、
前記第１のレールの後部に隣接して可動に設けられる第２のブラケットであって、該第２のブラケットは前記第１のレールを前記ラックの第２のポストに取り付けるように構成された少なくとも１つの取り付け部材を含む、第２のブラケットと、
前記第１のブラケットに設けられる第１の構造と、
前記第２のレールに設けられる第２の構造と、
を含むスライドレールアセンブリであって、
前記第２のレールが前記第１のレールに対して伸長位置に位置する場合、前記第１の構造及び前記第２の構造は互いに係合するように構成されている、スライドレールアセンブリ。
【請求項８】
前記第２のレールに可動に設けられる係合解除部材をさらに含み、
前記第２のレールが前記伸長位置に位置する場合、前記係合解除部材の操作部は前記第１のブラケットの少なくとも１つの取り付け部材を越えて延び、前記係合解除部材は前記第１の構造を前記第２の構造から外すように構成されている、請求項７に記載のスライドレールアセンブリ。
【請求項９】
前記第１の構造及び前記第２の構造のうちの一方はフックを有し、前記第１の構造及び前記第２の構造のうちの他方は孔を有し、該孔は、該フックの両側に該孔の２つの壁が位置するように該フックが貫通できるように構成され、
前記第１のブラケットは弾性部品を備え、前記フックは該弾性部品に設けられ、
前記スライドレールアセンブリは前記第１のブラケットに設けられる解除部材をさらに含み、該解除部材は前記フックを前記孔から外すために操作されるよう構成された操作部を有し、該操作部は前記第１のブラケットの少なくとも１つの取り付け部材に隣接する、請求項７に記載のスライドレールアセンブリ。
【請求項１０】
前記第２のレールに対して可動な第３のレールをさらに含み、
前記第３のレール及び前記第１の構造のうちの一方には係合解除部が設けられ、
前記第３のレールが完全伸長位置から引っ込め方向に沿って所定の引っ込め距離動かされた場合、前記第３のレールは前記係合解除部を通じて前記第１の構造を前記第２の構造から外すように構成されている、請求項７に記載のスライドレールアセンブリ。
【発明の詳細な説明】
【技術分野】
【０００１】
本発明はスライドレール機構に関し、より具体的には少なくとも２つのレールを含むスライドレールアセンブリに関する。
【背景技術】
【０００２】
図１に示すように、ラックシステムにおいて、ラックは所定の規格に通常準拠する。例えば、ラックは、米国の電子工業会（ＥＩＡ）により規定された標準ラックであり得る。
【０００３】
さらに、ラック（又はキャビネット）の第１のポスト１ａ及び第２のポスト１ｂのそれぞれは所定の高さを有し、第１のポスト１ａ及び第２のポスト１ｂとの間で上から下に複数のスライドレールアセンブリが通常配置される。例えば、第１のスライドレールアセンブリ３ａ、第２のスライドレールアセンブリ３ｂ、第３のスライドレールアセンブリ３ｃ及び第４のスライドレールアセンブリ３ｄは第１のポスト１ａ及び第２のポスト１ｂの間に配置される。各スライドレールアセンブリは第１のレール５、第２のレール７及び第３のレール９を含む。第１のレール５は、第１のブラケット１１及び第２のブラケット１３を通じて第１のポスト１ａ及び第２のポスト１ｂにそれぞれ取り付けられる。他方、第３のスライドレールアセンブリ３ｃの第２のレール７が伸長位置Ｐに位置する場合、第２のレール７及び第１のレール５の対応構造（例えば、互いに係合した第１の構造１５ａ及び第２の構造１５ｂ）は、スライドレールアセンブリのレール又はレールにより保持される保持物体１７に対する関連メンテナンス作業を容易にするために第２のレール７を伸長位置Ｐで一時的に保持するように構成されている。しかしながら、第３のスライドレールアセンブリ３ｃの第１の構造１５ａ及び第２の構造１５ｂが互いに係合する位置は第１のレール５の前部５ａから離れており（又は第１のポスト１ａから離れており）、２つの隣接するスライドレールアセンブリの間に規定の高さｈ（例えば４４．４５ｍｍ）が所定の規格により定義されているため、２つの隣接するスライドレールアセンブリの間の規定の高さｈによって定義される空間内にユーザーが手を伸ばすのが困難な場合が時としてある。とりわけ、ユーザーは、第１の構造１５ａを第２の構造１５ｂから外すために前記空間内に距離Ｋ手を伸ばして操作しなければならず、不便である。第２のレール７がラックの外にあるように伸長位置Ｐに位置している場合、ラックの付近を歩いている人がケガをし得る。
【０００４】
したがって、異なる市場の要求のために様々なスライドレール製品を開発することが重要である。
【発明の概要】
【０００５】
本発明は、１つのレールが別のレールに対して伸長位置から動くのを防止可能な機構に関し、ユーザーは伸長位置で機構を便利な形で機能無効にすることができる。
【課題を解決するための手段】
【０００６】
本発明の一実施形態によれば、スライドレールアセンブリは第１のレールと、第２のレールと、第１の構造と、第２の構造とを含む。第２のレールは第１のレールに対して可動である。第１の構造は第１のレールの端部に隣接して設けられる。第２の構造は第２のレールに設けられる。第２のレールが第１のレールに対して引っ込め位置から伸長位置に第１の方向に沿って動かされた場合、第１の構造及び第２の構造は、第２のレールが伸長位置から第１の方向又は第２の方向に沿って移動するのを防止するために互いに係合するように構成されている。第２の方向は第１の方向の反対方向である。
【０００７】
本発明の別の実施形態によれば、スライドレールアセンブリは第１のレールと、第２のレールと、第１のブラケットと、第２のブラケットと、第１の構造と、第２の構造とを含む。第１のレールは前部及び後部を有する。第２のレールは第１のレールに対して可動である。第１のブラケットは第１のレールの前部に隣接して設けられる。第１のブラケットは第１のレールをラックの第１のポストに取り付けるように構成された少なくとも１つの取り付け部材を含む。第２のブラケットは第１のレールの後部に隣接して可動に設けられる。第２のブラケットは第１のレールをラックの第２のポストに取り付けるように構成された少なくとも１つの取り付け部材を含む。第１の構造は第１のブラケットに設けられる。第２の構造は第２のレールに設けられる。第２のレールが第１のレールに対して伸長位置に位置する場合、第１の構造及び第２の構造は互いに係合するように構成されている。
【０００８】
様々な図面に図示する下記の好ましい実施形態の詳細な説明を読み終えた後、本発明の上記の目的及び他の目的が当業者に間違いなく明らかになる。
【図面の簡単な説明】
【０００９】
【図１】図１は、ラックに取り付けられた先行技術の複数のスライドレールアセンブリを示す図である。
【図２】図２は、本発明の第１の実施形態に係る、ラックに取り付けられたスライドレールアセンブリを示す図である。
【図３】図３は、本発明の第１の実施形態に係るスライドレールアセンブリを示す図である。
【図４】図４は、本発明の第１の実施形態に係るスライドレールアセンブリの分解図である。
【図５】図５は、本発明の第１の実施形態に係る、ラックの２つのポストに取り付けられたスライドレールアセンブリを示す図であり、スライドレールアセンブリは引っ込められた状態にある。
【図６】図６は、図５の領域Ａの拡大図である。
【図７】図７は、図５の領域Ｂの拡大図である。
【図８】図８は、本発明の第１の実施形態に係る、ラックのポストに取り付けられたスライドレールアセンブリを示す図であり、スライドレールアセンブリの第２のレール及び第３のレールは第１のレールに対して第１の方向に沿って同期的に動かされる。
【図９】図９は、図８の領域Ａの拡大図である。
【図１０】図１０は、本発明の第１の実施形態に係る、第１のレールに対して第１の方向に沿ってさらに動かされた第２のレール及び第３のレールを示す図であり、第２のレールは伸長位置に位置している。
【図１１】図１１は、図１０の領域Ａの拡大図である。
【図１２】図１２は、図１０の領域Ｂの拡大図である。
【図１３】図１３は、本発明の第１の実施形態に係る、第２のレールに対して第１の方向に沿って動かされたスライドレールアセンブリの第３のレールを示す図である。
【図１４】図１４は、本発明の第１の実施形態に係る、第２のレールに対して第１の方向に沿ってさらに動かされたスライドレールアセンブリの第３のレールを示す図である。
【図１５】図１５は、本発明の第１の実施形態に係る、第２のレールに対して第１の方向に沿って完全伸長位置へとさらに動かされたスライドレールアセンブリの第３のレールを示す図である。
【図１６】図１６は、本発明の第１の実施形態に係る、作用部材が第２のレールによってもはやブロックされておらず、スライドレールアセンブリの第３のレールが第２のレールに対して完全伸長位置から離れるように第１の方向に沿って動かされた状態を示す図である。
【図１７】図１７は、本発明の第１の実施形態に係る、スライドレールアセンブリの第２のレールが第１のレールに対して伸長位置に位置し、第３のレールが第２のレールから取り外されている状態を示す図である。
【図１８】図１８は、本発明の第１の実施形態に係る、ラックに取り付けられた複数のスライドレールアセンブリを示す図である。
【図１９】図１９は、本発明の第２の実施形態に係る、ラックに取り付けられたスライドレールアセンブリをある視角から示す図であり、解除部材は操作前の状態にある。
【図２０】図２０は、本発明の第２の実施形態に係る、ラックに取り付けられたスライドレールアセンブリを別の視角から示す図であり、解除部材は操作前の状態にある。
【図２１】図２１は、本発明の第２の実施形態に係る、ラックに取り付けられたスライドレールアセンブリをある視角から示す図であり、解除部材は操作後の状態にある。
【図２２】図２２は、本発明の第２の実施形態に係る、ラックに取り付けられたスライドレールアセンブリを別の視角から示す図であり、解除部材は操作後の状態にある。
【図２３】図２３は、本発明の第２の実施形態に係る、伸長位置から所定の方向に沿って引っ込められたスライドレールアセンブリの第３のレールを示す図である。
【図２４】図２４は、本発明の第２の実施形態に係る、第１のレールと第２のレールとの係合を解除するために所定の方向に沿ってさらに引っ込められたスライドレールアセンブリの第３のレールを示す図である。
【図２５】図２５は、本発明の第３の実施形態に係るスライドレールアセンブリを示す図である。
【図２６】図２６は、本発明の第３の実施形態に係るスライドレールアセンブリの分解図である。
【図２７】図２７は、本発明の第３の実施形態に係る、ラックに取り付けられたスライドレールアセンブリをある視角から示す図であり、係合解除部材は操作前の状態にある。
【図２８】図２８は、本発明の第３の実施形態に係る、ラックに取り付けられたスライドレールアセンブリを別の視角から示す図であり、解除部材は操作前の状態にある。
【図２９】図２９は、本発明の第３の実施形態に係る、ラックに取り付けられたスライドレールアセンブリをある視角から示す図であり、係合解除部材は操作後の状態にある。
【図３０】図３０は、本発明の第３の実施形態に係る、ラックに取り付けられたスライドレールアセンブリを別の視角から示す図であり、係合解除部材は操作後の状態にある。
【発明を実施するための形態】
【００１０】
図２、図３及び図４に示すように、本発明の一実施形態に係るスライドレールアセンブリ２０は、第１のブラケット２２及び第２のブラケット２４を通じてラックの第１のポスト２６ａ及び第２のポスト２６ｂに取り付けられるように構成されている。
【００１１】
スライドレールアセンブリ２０は第１のレール２８、第２のレール３０、第１の構造３２及び第２の構造３４を含む。スライドレールアセンブリ２０は第３のレール３６をさらに含むことが好ましい。
【００１２】
第１のレール２８は第１の端部２８ａ及び第２の端部２８ｂ、例えば前部及び後部を有する。第１のブラケット２２は第１のレール２８の第１の端部２８Ａに隣接して設けられることが好ましい。他方、第２のブラケット２４は、第１のレール２８の第２の端部２８ｂに隣接して可動に設けられる。例えば、第２のブラケット２４を第１のレール２８に対して長手方向に調節できるように、第２のブラケット２４は伸長フレーム２４ａを通じて第１のレール２８の後ろ側で引っ込め可能に支持ベース２５に接続されている。第１のブラケット２２及び第２のブラケット２４のそれぞれは少なくとも１つの取り付け部材を含む。例えば、第１のブラケット２２は複数の第１の取り付け部材３８を含み、第２のブラケット２４は複数の取り付け部材４０を含む。第１のブラケット２２及び第２のブラケット２４は、第１の取り付け部材３８及び第２の取り付け部材４０を通じて第１のレール２８を第１のポスト２６ａ及び第２のポスト２６ｂにそれぞれ取り付けるように構成されている。さらに、第１のレール２８は第１の壁４２ａ、第２の壁４２ｂ及び第１の壁４２ａと第２の壁４２ｂとの間に接続される長手壁４４を含む。第１のレール２８の第１の壁４２ａ、第２の壁４２ｂ及び長手壁４４により第１の通路４６が定義される。第１のレール２８に係合解除部４８が設けられることが好ましく、係合解除部４８は傾斜面又は弧面を有する。第１のレール２８は長手壁４４上に突起４９を備え、突起４９が係合解除部４８を有することが好ましい。
【００１３】
第２のレール３０は、第１のレール２８に対して可動である。第２のレール３０は第１のレール２８の第１の通路４６内に取り付けられる。第２のレール３０は第１の端部３０ａ及び第２の端部３０ｂ、例えば前部及び後部を有する。さらに、第２のレール３０は第１の壁５０ａ、第２の壁５０ｂ及び第１の壁５０ａと第２の壁５０ｂとの間に接続される長手壁５２を含む。第２のレール３０の第１の壁５０ａ、第２の壁５０ｂ及び長手壁５２により第２の通路５４が定義される。第２のレール３０の第１の壁５０ａ、第２の壁５０ｂ及び長手壁５２は第１のレール２８の第１の壁４２ａ、第２の壁４２ｂ及び長手壁４４にそれぞれ対応する。第２のレール３０に同期部材５６が可動に取り付けられることが好ましい。本実施形態では、同期部材５６はシャフト５８を通じて第２のレール３０の長手壁５２に枢結されている。スライドレールアセンブリ２０は、同期部材５６に弾性力を提供するように構成された弾性アーム等の弾性部６０をさらに含む。
【００１４】
第１の構造３２は第１のレール２８の第１の端部２８ａに隣接して設けられる。本実施形態では、第１の構造３２は第１のブラケット２２に設けられる。具体的には、第１のブラケット２２は側壁６２、端壁６４、固定部材６６及び弾性部材６８を含む。端壁６４は側壁６２に対して実質的に垂直に屈曲されている。端壁６４には第１の取り付け部材３８が設けられている。固定部材６６は側壁６２に可動に取り付けられる（例えば枢結される）。弾性部材６８（例えばバネ又は弾性片）は、固定部材６６をロック状態で保持して、固定部材６６の固定部６６ａが端壁６４の第１の取り付け部材３８に隣接して（図２に示すように）第１のポスト２６ａをロックできるようにするために、固定部材６６に弾性力を提供するように構成されている。第１のブラケット２２の側壁６２は開口７０を有することが好ましい。弾性部品７２（例えば弾性アーム）の一端７２ａは側壁６２に接続され、弾性部品７２の他端７２ｂには第１の構造３２が設けられることが好ましい。第１の構造３２は開口７０に対応する位置に位置する。第１の構造３２はフック７４を有することが好ましい。さらに、フック７４は第１のレール２８の貫通孔７６に対応する位置に位置し、第２のレール３０の方に延びる。
【００１５】
第２の構造３４は第２のレール３０に設けられる。第２の構造３４は第１の構造３２のフック７４と相互に作用するように構成された孔（又は凹部）であることが好ましい。第２の構造３４は第２のレール３０の長手壁５２に設けられる。
【００１６】
第３のレール３６は、第２のレール３０に対して可動である。第３のレール３６は第２のレール３０の第２の通路内に取り付けられることが好ましい。具体的には、第３のレール３６は第１の壁７８ａ、第２の壁７８ｂ及び第１の壁７８ａと第２の壁７８ｂとの間に接続される長手壁８０を含む。第３のレール３６の第１の壁７８ａ、第２の壁７８ｂ及び長手壁８０は第２のレール３０の第１の壁５０ａ、第２の壁５０ｂ及び長手壁５２にそれぞれ対応する。第３のレール３６は、第３のレール３６の長手壁８０に設けられる同期部８２（突起等）を含むことが好ましい。同期部８２は、同期部材５６と相互に作用するよう構成されている。スライドレールアセンブリ２０は、第３のレール３６の長手壁８０に接続される第１の作用部材８４及び第２の作用部材８６をさらに含み、ブロック部８８が第２のレール３０の第１の端部３０ａに隣接して設けられることが好ましい。ブロック部８８は第２のレール３０の長手壁５２に設けられ、長手壁５２に対して横方向に突出する。
【００１７】
スライドレールアセンブリ２０は第１の摺動支援装置９０及び第２の摺動支援装置９２をさらに含むことが好ましい。第１の摺動支援装置９０は、第１のレール２８に対する第２のレール３０の移動を支援するために、第１のレール２８及び第２のレール３０の間で回転支持する複数の第１の回転部材９０ａ（例えばボール又は車輪）を含む。他方、第２の摺動支援装置９２は、第２のレール３０に対する第３のレール３６の移動を支援するために第２のレール３０及び第３のレール３６の間で回転支持する複数の第２の回転部材９２ａ（例えばボール又は車輪）を含む。第１の作用部材８４及び第２の作用部材８６はそれぞれ第１のシャフト９４及び第２のシャフト９６を通じて第３のレール３６の長手壁８０に枢結されていることが好ましい。スライドレールアセンブリ２０は、第３のレール３６の長手壁８０に設けられる弾性ベース９２をさらに含む。弾性ベース９８は、第１の作用部材８４及び第２の作用部材８６にそれぞれ弾性力を提供するように構成された第１の弾性部９８ａ及び第２の弾性部９８ｂを有する。スライドレールアセンブリ２０は、第１の作用部材８４及び第２の作用部材８６をそれぞれ操作するように構成された第１の操作部材１００及び第２の操作部材１０２をさらに含むことが好ましい。
【００１８】
図５、図６及び図７に示すように、スライドレールアセンブリ２０の第１のレール２８は第１のブラケット２２及び第２のブラケット２４を通じて第１のポスト２６ａ及び第２のポスト２６ｂにそれぞれ固定取り付けされ、第２のレール３０は第１のレール２８に対して引っ込め位置Ｒに位置する。他方、第３のレール３６は第２のレール３０に対して引っ込められている。
【００１９】
さらに、第２のレール３０の同期部材５６は所定の状態Ｘ１にある。同期部材５６は、弾性部６０の弾性力に反応して所定の状態Ｘ１で保持されるように構成されていることが好ましい。第３のレール３６の同期部８２は所定の状態Ｘ１にある同期部材５６と相互作用するように構成されている。本実施形態では、第３のレール３６の同期部８２は所定の状態Ｘ１にある同期部材５６と当接するように構成されている。第２のレール３０の同期部材５６は第１のレール２８の係合解除部４８から離間している。他方、第２の構造３４は第１の構造３２から離間している。第１の構造３２は、弾性部品７２が弾性力を蓄積する状態になるように第２のレール３０の長手壁９２に当接する。
【００２０】
図８及び図９に示すように、第３のレール３６が第１の方向Ｄ１に沿って動かされた場合、同期部８２は、第２のレール３０及び第３のレール３６が第１のレール２８に対して第１の方向Ｄ１に沿って同期的に動かされるように、所定の状態Ｘ１にある同期部材５６と当接するように構成されている。第２のレール３０及び第３のレール３６が所定の距離動かされると、第２のレール３０の同期部材５６の部位１０４は第１のレール２８の係合解除部４８と接触する。同期部材５６の部位１０４は傾斜面又は弧面を有することが好ましい。その間、第２のレール３０の第２の構造３４は第１の構造３２の近くにある。
【００２１】
図１０、図１１及び図１２に示すように、第２のレール３０が伸長位置Ｅに位置するまで第３のレール３６及び第２のレール３０が第１の方向Ｄ１に沿ってさらに動かされると、同期部材５６は係合解除部４８によりもはや所定の状態Ｘ１にない（例えば、図１１に示す別の状態Ｘ２に切り替わる）。そのため、第３のレール３６の同期部８２は同期部材５６に当接していない。そのため、第２のレール３０は第３のレール３６ともはや同期的に移動しない。本実施形態では、部位１０４及び係合解除部４８は、同期部材５６が所定の状態Ｘ１から別の状態Ｘ２に偏向されるように互いに当接して作用力を生成する。その間、弾性部６０は弾性力を蓄積する状態にある。他方、第２のレール３０が伸長位置Ｅに位置する場合、第１の構造３２及び第２の構造３４は第２のレール３０が第１のレール２８に対して伸長位置Ｅから第１の方向Ｄ１に又は第１の方向Ｄ１と反対の第２の方向Ｄ２に沿って移動するのを防止するために互いに相互作用する。本実施形態では、第１の構造３２及び第２の構造３４は互いに係合する。例えば、第２の構造３４は孔であり得る。第２の構造３４は、該孔の２つの壁、例えば第１の壁３５Ａ及び第２の壁３５ｂがフック７４の２つの側に位置するように弾性部品７２が弾性力を放出するのに反応して第１の構造３２のフック７４が貫通できるように構成され得る。そのような構成によれば、第２のレール３０が伸長位置Ｅから第１の方向Ｄ１又は第２の方向Ｄ２に沿って動くのを防止できる。
【００２２】
図１３、図１４及び図１５に示すように、第２のレール３０は第１のレール２８に対して伸長位置Ｅに位置する。他方、第３のレール３６の弾性ベース９８の第１の弾性部９８ａ及び第２の弾性部９８ｂは、第１の作用部材８４及び第２の作用部材８６を第１の状態Ｓ１で保持するために第１の作用部材８４及び第２の作用部材８６のそれぞれに弾性力を提供するように構成されている。  さらに、第３のレール３６が第２のレール３０に対して第１の方向Ｄ１に沿って所定の距離動かされると、第２の作用部材８６は（図１３に示すように）第２のレール３０のブロック部８８の第１の側と接触する。第３のレール３６が第２のレール３０に対して第１の方向Ｄ１に沿ってさらに動かされると、第２の作用部材８６が第１の状態Ｓ１から（図１４に示す）第２の状態Ｓ２に偏向されてブロック部８８の第１の側に渡るように第２の作用部材８６はブロック部８８と相互に作用する。その間、第２の弾性部９８ｂは弾性力を蓄積する状態にある。第３のレール３６が第２のレール３０に対して第１の方向Ｄ１に沿って（図１５に示す）完全伸長位置Ｙにさらに動かされると、第２の作用部材８６は第２の弾性部９８ｂの弾性力に反応して第１の状態Ｓ１に戻る。その間、第２の作用部材８６は（図１５に示す）ブロック部８８の第２の側に位置する。他方、第１の作用部材８４は第１の状態Ｓ１にあり、ブロック部８８の第１の側に位置する。短い間、第３のレール３６が第２のレール３０に対して（図１５に示す）完全伸長位置Ｙに位置する場合、第１の作用部材８４及び第２の作用部材８６は第１の状態Ｓ１にあり、第３のレール３６が完全伸長位置Ｙから第１の方向Ｄ１又は第２の方向Ｄ２に沿って移動するのを防止するためにブロック部８８の第１の側及び第２の側にそれぞれ位置してブロック部８８をブロックする。
【００２３】
図１５、図１６及び図１７に示すように、第３のレール３６が第２のレール３０に対して完全伸長位置Ｙに位置し、ユーザーが第３のレール３６を完全伸長位置Ｙから第１の方向Ｄ１又は第２の方向Ｄ２に沿って動かす場合、ユーザーは第１の作用部材８４又は第２の作用部材８６が第１の状態Ｓ１でなくなるように操作できる。例えば、ユーザーは第１の操作部材１００に対して第１の方向Ｄ１に沿って力を加えて、第１の操作部材１００の駆動部１００ａが第１の作用部材８４を駆動して第１の状態Ｓ１から別の状態（例えば図１６に示す第２の状態Ｓ２）に偏向し、第３のレール３６が完全伸長位置Ｙから第１の方向Ｄ１に沿って第２のレール３０の第２の通路５４の外側に移動させることができる。即ち、第３のレール３６を第２のレール３０から取り外すことができる。さらに、第１の作用部材８４、第２の作用部材８６及び弾性ベース９８は図１７において省略されている。
【００２４】
図１８に示すように、ラックシステム１０６において、複数のスライドレールアセンブリは通常第１のポスト２６ａ及び第２のポスト２６ｂの間で上から下に配置される。本実施形態では、第１のスライドレールアセンブリ２０ａ、第２のスライドレールアセンブリ２０ｂ、第３のスライドレールアセンブリ２０ｃ及び第４のスライドレールアセンブリ２０ｄが第１のポスト２６ａ及び第２のポスト２６ｂの間に配置されるが、本発明はそのような構成に限定されない。各スライドレールアセンブリは第１のレール２８、第２のレール３０及び第３のレール３６を含む。第１のレール２８は第１のブラケット２２及び第２のブラケット２４を通じて第１のポスト２６ａ及び第２のポスト２６ｂにそれぞれ取り付けられている。各スライドレールの構成及び動作は図２〜図１７に開示されている。簡略化のために、さらなる説明は省略する。
【００２５】
さらに、各スライドレールアセンブリの第３のレール３６は保持物体１０８（例えば電子機器）を保持するように構成されている。第１のスライドレールアセンブリ２０ａ及び第２のスライドレールアセンブリ２０ｂは、第１のスライドレールアセンブリ２０ａ及び第２のスライドレールアセンブリ２０ｂにより保持される保持物体１０８がラックの内部に位置するように引っ込められた状態（図５も参照されたい）にある。他方、第３のスライドレールアセンブリ２０ｃの第２のレール３０は、第１のレール２８に対して伸長位置Ｅに位置し、第３のスライドレールアセンブリ２０ｃの第２のレール３０の一部がラックの外に位置する一方で第３のスライドレールアセンブリ２０ｃの第３のレール３６が第２のレール３０から取り外されるように第３のスライドレールアセンブリ２０ｃの第１の構造３２及び第２の構造３４が互いに係合する。さらに、第４のスライドレールアセンブリ２０ｄは伸長状態にある。第４のスライドレールアセンブリ２０ｄの第３のレール３６は、第４のスライドレールアセンブリ２０ｄにより保持される保持物体１０８がラックの外側に位置するように第２のレール３０に対して完全伸長位置Ｙに位置する。
【００２６】
加えて、ラックは所定の規格に準拠する。したがって、スライドレールアセンブリが第１のポスト２６ａ及び第２のポスト２６ｂに取り付けられている場合、隣接する２つのスライドレールアセンブリの間で規格高さｈが定義される、そのような構成では、第３のスライドレールアセンブリ２０ｃの第１の構造３２は第１のレール２８の第１の端部２８ａに隣接して（又は第１のポスト２６ａに隣接して）配置され、伸長位置Ｅで第２のレール３０を保持するために第２の構造３４と係合するように構成されている。したがって、（図１に示す）先行技術とは対照的に、ユーザーは、第３のスライドレールアセンブリ２０ｃの第２のレール３０を第１のレール２８に対して伸長位置Ｅからラック内に引っ込めることができるように手をより短い距離Ｌ伸ばして第１の構造３２を第２の構造３４から外すことができる。ユーザーにとって、第２のレール３０をラック内に引っ込めるために第１のレール２８に対して第２のレール３０を引っ込めるのに便利である。第２のレール３０はラック内に引っ込められているため、ラックの近くを通る人が第２のレール３０に当たってケガをするのが防止されるため、安全性が高まる。
【００２７】
図１９及び図２０は、本発明の第２の実施形態に係る、ラックのポストに取り付けられたスライドレールアセンブリ２００を２つの異なる視角で示す図である。簡略化のために、図１９及び図２０ではラックの第１のポスト２６ａのみを示す。第１の実施形態のスライドレールアセンブリ２０とは異なり、第２の実施形態のスライドレールアセンブリ２００は解除部材２０２をさらに含む。
【００２８】
具体的には、（図１９及び図２０に示すように）解除部材２０２が操作される前、第１の構造３２のフック７４は第２の構造３４（例えば図２０に示す孔）から外れておらず、（図２１及び図２２に示すように）解除部材２０２が操作された後、第１の構造３２のフック７４は（図２２に示すように）第２の構造３４から外れている。さらに、解除部材２０２は第１のブラケット２２に可動に取り付けられている。解除部材２０２は操作部２０２ａ、駆動部２０２ｂ及び操作部２０２ａと駆動部２０２ｂとの間に配置される接続部２０２ｃを含む。接続部２０２ｃは、枢動シャフト２０４を通じて第１のブラケット２２の少なくとも１つのラグ２０５に枢結されていることが好ましい。駆動部２０２ｂは弾性部品７２の一部（例えば端部７２ｂ）に当接するように構成されている。操作部２０２ａは第１のブラケット２２の少なくとも１つの取り付け部材３８に隣接する。本実施形態では、第１のブラケット２２の少なくとも１つの取り付け部材３８は第１のポスト２６ａに取り付けらているため、操作部２０２ａは第１のポスト２６Ａに隣接する操作部２０２ａは、第１のポスト２６ａのポスト面２０７に隣接する一端２０３を有するか又は操作部２０２ａの端部２０３は、（図２０に示すように）第１の方向Ｄ１に沿って第１のポスト２６ａのポスト面２０７を越えて延びていることが好ましい。そのため、ユーザーにとって、（図２１及び図２２に示すように）解除部材２０２を偏向させて弾性部品７２の他端７２ｂを操作して第１の構造３２のフック７４を第２の構造３４から外すために、操作部２０２ａを通じて解除部材２０２に力を加えるのが便利である。即ち、ユーザーは、第２のレール３０を第１のレール２８に対して第２の方向Ｄ２に沿って伸長位置Ｅからラック内に引っ込めることができるように、ラック内にある空間の中に手を伸ばすことなく第１の構造３２を第２の構造３４から外すことができる。したがって、第１の構造３２のフック７４を第２の構造３４（孔等）から外すために、解除部材２０２を操作して弾性部品７２を動かすことができる。スライドレールアセンブリ２００は戻り弾性部材２０９をさらに含むことが好ましい。解除部材２０２は戻し弾性部材２０９の弾性力に反応して（図１９に示すように）所定の位置で保持されるように構成されている。
【００２９】
図２３及び図２４に示すように、第２の実施形態の解除部材２０２を通じて第１の構造３２を第２の構造３４から外すことに加えて、第３のレール３６を用いて第１の構造３２を第２の構造３４から外すこともできる。例えば、第１のレール３６及び第１の構造３２の一方は係合解除部８１を有する。本実施形態では、第３のレール３６の同期部８２が係合解除部８１（例えば傾斜面又は弧面）を有する。第３のレール３６が第２のレール３０に対して完全伸長位置Ｙから第２の方向Ｄ２に沿って所定の引っ込め距離動かされた場合、第３のレール３６は、第２のレール３０を第１のレール２８に対して伸長位置Ｅからラック内に引っ込めることができるよう第１の構造３２から第２の構造３４を外すために、第１の構造３２を駆動して、係合解除部８１を通じて第２の構造３４から外れるように構成されている。。
【００３０】
図２５及び図２６は、本発明の第３の実施形態に係るスライドレールアセンブリ３００を示す図である。スライドレールアセンブリ３００は第１のレール３０２及び第２のレール３０４を含む。スライドレールアセンブリ３００は第３のレール３０６、第１のブラケット３０８及び第２のブラケット３１０をさらに含むことが好ましい。第１のレール３０２、第２のレール３０４、第３のレール３０６、第１のブラケット３０８及び第２のブラケット３１０の構成及び動作は第１の実施形態のスライドレールアセンブリ２０のものと実質的に同じであるため、簡略化のためにそれらについてのさらなる説明は省略する。第１の実施形態のスライドレールアセンブリ２０とは異なり、第３の実施形態のスライドレールアセンブリ３００は係合解除部材３１２をさらに含む。
【００３１】
さらに、係合解除部材３１２は第２のレール３０４に設けられている。第２のレール３０４の長手壁は第１の側Ｌ１及び第２の側Ｌ２を有することが好ましい。第１の側Ｌ１は第１のレール３０２に対向するように構成され、第２の側Ｌ２は第３のレール３０６に対向するように構成されている。係合解除部材３１２は第２のレール３０４の第１の側Ｌ１に設けられている。係合解除部材３１２は第２のレール３０４に可動に取り付けられることが好ましい。係合解除部材３１２及び第２のレール３０４は、少なくとも１つの第１のガイド部３１４及び少なくとも１つの第２のガイド部３１６の間の相互作用を通じて限られた範囲内で互いに相対移動するように構成されている。例えば、第１のガイド部３１４及び第２のガイド部３１６はそれぞれ突起及び細長い孔（長手方向に細長い孔）である。突起は細長い孔の一部を貫通するように構成されている。スライドレールアセンブリ３００は、第２のレール３０４と係合解除部材３１２との間に取り付けられる戻しバネ３１８をさらに含むことが好ましい。
【００３２】
図２７及び図２８は、本発明の第３の実施形態に係る、ラックのポストに取り付けられたスライドレールアセンブリ３００を２つの異なる視角から示す図である。簡略化のために、図２７及び図２８ではラックの第１のポスト２６ａのみを示す。
【００３３】
具体的には、第２のレール３０４が第１のレール３０２に対して引っ込め位置Ｒから伸長位置Ｅに第１の方向Ｄ１に沿って動かされると、第１の構造３２０及び第２の構造３２２は、第２のレール３０４が伸長位置Ｅから第１の方向Ｄ１又は第２の方向Ｄ２に沿って動くのを防止するために互いに係合する。係合解除部材３１２は第１の構造３２０から第２の構造３２２を外すように構成されている。第２のレール３０４が伸長位置Ｅに位置している場合、係合解除部材３１２の一部（例えば操作部３１２ａ）は第１の端部３０２ａを越えるか又は第１のブラケット３０８の少なくとも１つの取り付け部材３８を越えて延びている。そのような構成によれば、ユーザーにとって、第２のレール３０４を第１のレール３０２に対して第２の方向Ｄ２に沿って伸長位置Ｅからラック内に引っ込めることができるように係合解除部材３１２を操作して第１の構造３２０を第２の構造３２２から外すのに便利である。
【００３４】
さらに、ユーザーが第１の方向Ｄ１に沿って係合解除部材３１２に力を加えると、係合解除部材３１２は、第２のレール３０４を動かして、第１のレール３０２に対して伸長位置Ｅから（図３０に示すように）第２の方向Ｄ２に沿って引っ込めることができるように（図２７に示す）第１の位置Ｐ１から（図２９に示す）第２の位置Ｐ２に移動して第１の構造３２０を（図３０に示すように）第２の構造３２２から外す。係合解除部材３１２及び第１の構造３２０のうちの一方はガイド部３２４（例えば傾斜面又は弧面）を有することが好ましい。ガイド部３２４は、第１の構造３２０を第２の構造３２２から外すために、係合解除部材３１２の押圧部３１３が、弾性部品３２６を通じて第１の構造３２０を容易に偏向させることできるように構成されている。戻しバネ３１８は、係合解除部材３１２を所定の位置で、例えば第１の位置Ｐ１で保持するために係合解除部材３１２に弾性力を提供するように構成されている。
【００３５】
加えて、第３の実施形態では、第１の構造３２０を第２の構造３２２から外すために、スライドレールアセンブリ３００の第３のレール３０６の係合解除部を用いることもできる。簡略化のために、さらなる説明は省略する。
【００３６】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００３７】
２０、２００、３００  スライドレールアセンブリ
２２  第１のブラケット
２４  第２のブラケット
２６ａ  第１のポスト
２６ｂ  第２のポスト
２８  第１のレール
３０  第２のレール
３２  第１の構造
３４  第２の構造
３６  第３のレール
３８  少なくとも１つの取り付け部材
４６  第１の通路
４８  係合解除部
５４  第２の通路
５６  同期部材
５８  シャフト
６０  弾性部
６６  固定部材
６８  弾性部材
７０  開口
７２  弾性部品
７４  フック
７６  貫通孔
８２  同期部
【図１】
2020058775.tif 000003
【図２】
2020058775.tif 000004
【図３】
2020058775.tif 000005
【図４】
2020058775.tif 000006
【図５】
2020058775.tif 000007
【図６】
2020058775.tif 000008
【図７】
2020058775.tif 000009
【図８】
2020058775.tif 000010
【図９】
2020058775.tif 000011
【図１０】
2020058775.tif 000012
【図１１】
2020058775.tif 000013
【図１２】
2020058775.tif 000014
【図１３】
2020058775.tif 000015
【図１４】
2020058775.tif 000016
【図１５】
2020058775.tif 000017
【図１６】
2020058775.tif 000018
【図１７】
2020058775.tif 000019
【図１８】
2020058775.tif 000020
【図１９】
2020058775.tif 000021
【図２０】
2020058775.tif 000022
【図２１】
2020058775.tif 000023
【図２２】
2020058775.tif 000024
【図２３】
2020058775.tif 000025
【図２４】
2020058775.tif 000026
【図２５】
2020058775.tif 000027
【図２６】
2020058775.tif 000028
【図２７】
2020058775.tif 000029
【図２８】
2020058775.tif 000030
【図２９】
2020058775.tif 000031
【図３０】
2020058775.tif 000032